(57)【特許請求の範囲】
【請求項１】
建物内に設置された火災感知器と、該火災感知器と信号線を介して接続され、前記火災感知器が火災を検出すると火災警報を行う火災受信機であって、
該火災受信機は、前面に扉を有し、箱状に形成された自立可能な筐体を備え、
前記火災受信機の機能が内蔵され、前記筐体とは別体に形成された箱体からなる火災受信機ユニットを前記筐体内に設け、
前記火災受信機ユニットは、前記火災感知器と信号線を介して接続され、前記箱体の前面に操作部が設けられ、前記操作部に対応するプリント基板が前記箱体内部に備えられる
ことを特徴とする火災受信機。
【請求項２】
前記扉は、窓部を有し、
前記窓部を介して、前記操作部が操作可能となるように、前記火災受信機ユニットを前記筐体内に設置するための取付部が、前記筐体内に設けられた
ことを特徴とする請求項１記載の火災受信機。
【請求項３】
前記火災受信機は、前記窓部を埋める閉鎖パネルを備えたことを特徴とする請求項２記載の火災受信機。
【請求項４】
前記火災受信機は、前記火災受信機ユニットの下端が、前記窓部の下端より下に位置するように設けられたことを特徴とする請求項２記載の火災受信機。
【請求項５】
前記火災受信機は、前記筐体と前記火災受信機ユニットの間であって、前記火災受信機ユニットの上または下に、追加設備を設置可能な空間が形成されたことを特徴とする請求項１乃至３いずれか記載の火災受信機。
【発明の詳細な説明】
【技術分野】
【０００１】
本発明は、火災発生時に火災感知器によって火災を検出すると、火災警報を行う火災受信機に関するものである。
【背景技術】
【０００２】
従来、建物内に設置された火災感知器と電源兼信号線を介して接続され、火災感知器が火災を検出すると火災警報を行う火災受信機が建物の防災センターに設けられている。（例えば、特許文献１）。 
【先行技術文献】
【特許文献】
【０００３】
【特許文献１】特開２００９−２４５２５９号公報
【発明の概要】
【発明が解決しようとする課題】
【０００４】
このような火災受信機は、箱状に形成された自立可能な筐体内に基板を備え、この筐体を建物の壁面に埋設して設置されているため、火災受信機の機能を拡充するためにリニューアルする際、火災受信機の筐体ごと取り外してリニューアルする必要があるため、リニューアル作業が困難という問題があった。
【０００５】
また、電源兼信号線から電源の供給を受けるという電源供給方式では、間仕切り変更による端末機器数の増加や、火災受信機の機能拡充による火災報知設備のリニューアルの際、設備の規模によっては特殊な大きさの電源装置及び予備電源を搭載する必要があり、盤サイズもそれに合わせて変更する必要があった。
【０００６】
本発明は、前記のような課題を解決するためになされたもので、火災報知設備のリニューアルを行う際に、自立可能な火災受信機の筐体を取り外すことなく、必要な電源容量を設置可能な空間が形成される火災受信機を提供することを目的とする。
【課題を解決するための手段】
【０００７】
本発明は、建物内に設置された火災感知器と、火災感知器と信号線を介して接続され、火災感知器が火災を検出すると火災警報を行う火災受信機であって、火災受信機は、前面に扉を有し、箱状に形成された自立可能な筐体を備え、火災受信機の機能が内蔵され、筐体とは別体に形成された箱体からなる火災受信機ユニットを筐体内に設け、火災受信機ユニットは、火災感知器と信号線を介して接続され、箱体の前面に操作部が設けられ、その操作部に対応するプリント基板が箱体内部に備えられることを特徴とするものである。
【発明の効果】
【０００８】
本発明によれば、箱状に形成された自立可能な筐体とは別体に形成された箱体からなる火災受信機ユニットを筐体内に設けたので、筐体内の火災受信機ユニットの上下に空間が形成される。
【０００９】
これにより、火災報知設備のリニューアルを行う際に必要な追加電源を設置可能な空間が形成されるので、この空間に追加電源やサイレージ等の追加設備を設置できる。
【図面の簡単な説明】
【００１０】
【図１】本発明の実施の形態１に係る火災受信機の正面図。
【図２】本発明の実施の形態１に係る図１のＡ−Ａ線断面図。
【図３】本発明の実施の形態１に係る平面断面図。
【図４】本発明の実施の形態１に係る取付部の斜視図。
【図５】本発明の実施の形態２に係る火災受信機の正面図。
【図６】本発明の実施の形態２に係る図５のＢ−Ｂ線断面図。
【図７】本発明の実施の形態２に係る平面断面図。
【発明を実施するための形態】
【００１１】
［実施形態１］
本発明の実施形態１を図１〜４に基づき説明する。
本実施形態１の火災受信機１００は、箱状に形成された筐体２と、筐体２の前面開口部に扉３が設けられている。さらに筐体２は、取付部８を介して設けられた火災受信機ユニット１と、中継器５と、追加電源部６と、サイレージ部７を内部に備えている。
【００１２】
火災受信機１００は、建物内の防災センター等に設置され、建物内の居室やテナントなどの防護領域の天井面に設置された火災感知器と信号線を介して接続されている。
【００１３】
このような火災受信機１００は、防護領域にて火災が発生し、天井面に設置された火災感知器が火災を検出すると、火災信号を火災受信機１００に送信する。火災信号を受信した火災受信機１００は、火災受信機１００に備えられたスピーカ等から火災警報を行うことで、防災センター等の管理者に火災の発生を知らせるものとなっている。
【００１４】
筐体２は、筐体２の側面を折り曲げて、前面開口部を形成することにより、前面に大きな開口部を備えていても、自立可能なだけの強度を有している。そして、箱状に形成された自立可能な筐体２は、台座４によって複数台連結して固定され、例えば防災センターの壁面に埋込設置、または床面に自立して設けられている。火災受信機ユニット１や、火災感知器と信号線を介して接続された中継器５は、ひとつの筐体２にそれぞれ設けられている。
【００１５】
筐体２の前面開口部には、回動部３ｂを介して扉３が取り付けられており、扉３には、筐体２の内部に連通可能な窓部３ａが設けられている。
【００１６】
火災受信機ユニット１は、筐体２とは別体に形成された箱体と、箱体の前面に一部が開口した扉を備えて箱状に形成され、取付部８を介して火災受信機１００の筐体２内に設けられ、中継器５と信号線を介して接続されている。
【００１７】
さらに火災受信機ユニット１の箱体は筐体２の高さより低く（たとえば３分の２以下）、かつ、筐体２の前面開口部と略同一幅に形成されている。また、火災受信機ユニット１の箱体は、箱体前面に形成された開口部から露出する位置に操作部１０を備えたプリント基板を内部に備え、操作部１０と、筐体２の前面開口部が略同一平面上になるように、取付部８を介して火災受信機１００の筐体２内に設けられている。
【００１８】
取付部８には、平板状の金属を折り曲げて凸状に形成され、火災受信機ユニット１の背面とねじ止めして固定される取付面８ａと、火災受信機１００の筐体２にねじ止めして固定されるフランジ部８ｂと、火災感知器または中継器５と接続される信号線を纏める整線部８ｃとが設けられている。
【００１９】
なお、整線部８ｃは、取付面８ａに複数設けられた孔により構成され、その数は、取付部８の強度に応じて適宜設けられる。
【００２０】
中継器５は、火災受信機ユニット１及び火災感知器と信号線を介して接続されており、火災感知器からの火災信号を火災受信機ユニット１に送信するものである。
追加電源部６は、筐体２内に設けられ、Ｐ型受信機からＲ型受信機へのリニューアルなど、火災受信機１００の機能拡充などのリニューアルの際に不足した電源容量を追加するものである。
【００２１】
サイレージ部７は、筐体２内に設けられ、建物に落雷した際の過電流を防止するものである。
【００２２】
次に、本実施形態１を用いたＰ型火災受信機からＲ型火災受信機へのリニューアル手順について説明する。より詳しく述べると、防災センター等の壁面に埋込設置された既設Ｐ型火災受信機１００の既設筐体２を利用して、Ｒ型火災受信機の機能が内蔵された火災受信機ユニット１の箱体を筐体２内に配置するようにして設置することで、火災受信機１００の機能を拡充するリニューアル手順について説明する。
【００２３】
はじめに、防災センター等の壁面に埋め込んで設置されたＰ型火災受信機１００の筐体２の内部から、プリント基板や電源等を取り外す。併せて、扉３の窓部３ａに設置されていた操作部（既設の操作部）及び、台座４にて複数台連結して固定された他の筐体２の扉３から地区窓を取り外す。この時、プリント基板と接続されていた信号線を、取付部８の整線部８ｃに、接続される地区ごとにまとめて挿入することにより、火災受信機ユニット１又は中継器５に信号線を再接続する際、容易に接続できるものとなっている。
【００２４】
次に、Ｐ型火災受信機１００の筐体２背面と、取付部８のフランジ部８ｂをネジにより固定すると共に、隣り合う筐体２内に中継器５のプリント基板を取り付ける。
【００２５】
その後、取付部８の整線部８ｃに挿入した信号線を、火災受信機ユニット１又は中継器５と接続し、火災受信機ユニット１の背面と取付部８の取付面８ａをねじ止めによって固定する。
【００２６】
火災受信機ユニット１を取り付ける高さは、例えば８００ｍｍ程度の高さとし、火災受信機ユニット１の下端が窓部３ａの下端より下に来るような位置とする。これにより、火災受信機ユニット１の下に隙間が生じないので、美観が良いものとなる。
【００２７】
このとき、取付部８により、火災受信機ユニット１の操作部１０が、筐体２の前面開口部と略同一平面上となるように設置されるので、筐体２に取り付けられた扉３の窓部３ａから火災受信機ユニット１の操作部１０が操作可能な位置に露出する。さらに、筐体２に取り付けられた扉３と、火災受信機ユニット１の扉が干渉しない位置となるように取付部８の高さが調整されているので、筐体２に取り付けられた扉３が開閉可能な状態となっている。
【００２８】
また、火災受信機ユニット１の高さは、筐体２より低く形成されているため、筐体２内の上下に空間が形成される。この空間に、追加電源部６及びサイレージ部７を設け、火災受信機ユニット１と接続することが可能となる。
【００２９】
なお、中継器５と信号線を接続した後は、管理者等が操作する必要がないので、中継器５が設置された筐体２の扉３は、窓部３ａを備えない扉と交換する。
【００３０】
このように、建物内に設置された火災感知器と、火災感知器と信号線を介して接続され、火災感知器が火災を検出すると火災警報を行う火災受信機１００であって、火災受信機１００は、前面に扉を有し、箱状に形成された自立可能な筐体２を備え、筐体２とは別体に形成された箱体からなる火災受信機ユニット１を筐体２内に設けたので、火災報知設備のリニューアルを行う際に、自立可能な火災受信機１００の筐体２を建物の壁面から取り外すことなくリニューアルが可能となると共に、追加の電源を設ける空間が形成されるので、電源容量を追加する必要がある場合でも、容易に火災報知設備のリニューアルが可能となる。
【００３１】
また、扉３は、窓部３ａを有し、火災受信機ユニット１は、前面に操作部１０を備えたプリント基板を内部に備え、窓部３ａを介して、操作部１０が操作可能となるように、火災受信機ユニット１を筐体２内に設置するための取付部８が、筐体内に設けられたので、扉３の窓部３ａから操作部１０を操作可能となるため、余計な加工が不要となり、容易に火災報知設備のリニューアルが可能となる。
【００３２】
また、火災受信機ユニット１の箱体は、凸状に形成された取付部８を介して筐体２内に設けられたので、火災受信機ユニット１をそのまま火災受信機１００の筐体２内に設置することができ、余計な加工が不要となるため、容易に火災報知設備のリニューアルが可能となる。
【００３３】
また、取付部８に、信号線を纏める整線部８ｃが設けられたので、接続される地区ごとにまとめて信号線を纏めることができるので、容易に火災報知設備のリニューアルが可能となる。
【００３４】
［実施形態２］
次に、本発明の実施形態２を図５〜７に基づき説明する。なお、実施形態１と同一名称または同一符号のものは、その機能と役割を同一のものとし、ここでは、実施形態１と異なる点について主に説明する。
【００３５】
本実施形態２の火災受信機１００は、箱状に形成された筐体２と、筐体２の前面開口部に扉３が設けられ、取付部９を介して設けられた火災受信機ユニット１を筐体２の内部に備えている。
【００３６】
筐体２の前面開口部には、回動部３ｂを介して扉３が取り付けられており、扉３には、筐体２の内部に連通可能な窓部３ａと、窓部３ａの一部を埋めるように、閉鎖パネル３ｃが設けられている。
【００３７】
火災受信機ユニット１は、前面すべてが開口された箱体が筐体２とは別体に形成され、火災受信機１００の筐体２内に設けられている。
【００３８】
さらに火災受信機ユニット１の箱体は、筐体２の高さより低く（たとえば３分の２以下）、かつ、筐体２の前面開口部とより大きく形成されており、前面に操作部１０を備えたプリント基板を内部に備え、操作部１０と、筐体２の前面開口部が略同一平面上になるように、取付部９を介して火災受信機１００の筐体２内に設けられている。
【００３９】
取付部９は、平板状の金属を折り曲げてＬ字状に形成され、火災受信機ユニット１の側面とねじ止めして固定される取付面と、筐体２の側面を折り曲げて、形成された前面開口部にねじ止めして固定されるフランジ部とを備えている。さらに取付部９の取付面には、図示しない整線部が設けられている。
【００４０】
次に、本実施形態２を用いたＰ型火災受信機からＲ型火災受信機へのリニューアル手順について説明する。
はじめに、防災センター等の壁面に埋め込んで設置されたＰ型火災受信機１００の筐体２の内部から、プリント基板や電源等を取り外す。併せて、扉３の窓部３ａに設置されていた操作部（既設の操作部）及び、台座４にて複数台連結して固定された筐体２の扉３から地区窓を取り外す。
【００４１】
次に、Ｐ型火災受信機１００の筐体２の前面開口部と、取付部９のフランジ部をネジにより固定する。より詳しく述べると、筐体２の側面を折り曲げて形成した前面開口部のうち、筐体２の背面側と対向する面と取付部９のフランジ部をネジにより固定する。
このとき、取付部９の取付面は、折り曲げて形成された前面開口部から突出しない位置となっている。
その後、火災受信機ユニット１の側面と取付部９の取付面をねじ止めによって固定する。
【００４２】
取付部９により、火災受信機ユニット１の操作部１０が、筐体２の前面開口部と略同一平面上となるように設置されるので、筐体２に取り付けられた扉３の窓部３ａから火災受信機ユニット１の操作部１０が操作可能な位置に露出する。このとき火災受信機ユニット１の箱体は、筐体２の前面開口部より突出しない位置で固定されているので、筐体２に取り付けられた扉３が開閉可能な状態となっている。
【００４３】
さらに、扉３の窓部３ａには、火災受信機ユニット１の上端から窓部３ａの上端までを埋める閉鎖パネル３ｃを扉３に取り付けることにより、必要以上に窓部３ａが開いた状態のままとならないので、設置後の美観が良いものとなる。
【００４４】
このように、建物内に設置された火災感知器と、火災感知器と信号線を介して接続され、火災感知器が火災を検出すると火災警報を行う火災受信機１００であって、火災受信機１００は、箱状に形成された自立可能な筐体２を備え、筐体２とは別体に形成された箱体からなる火災受信機ユニット１を筐体２内に設けたので、火災報知設備のリニューアルを行う際に、自立可能な火災受信機１００の筐体２を建物の壁面から取り外すことなくリニューアルが可能となると共に、追加の電源を設ける空間が形成されるので、電源容量を追加する必要がある場合でも、容易に火災報知設備のリニューアルが可能となる。
【００４５】
また、火災受信機ユニット１の箱体は、Ｌ字状に形成された取付部９を介して、前面開口部に固定したので、多少サイズが異なる火災受信機ユニット１であっても、そのまま火災受信機１００の筐体２内に設置することができるので、容易に火災報知設備のリニューアルが可能となる。
【００４６】
なお、本願発明の実施形態において、取付部８はあらかじめ操作部１０と、筐体２の前面開口部が略同一平面上になる高さとしたが、例えば取付部８をＬ字状に形成したフランジ部と、コ字状に形成した取付面に分け、いずれか一方の側面に横長の孔を設けてネジ接続することにより、高さを調整可能なものとしても良い。
【００４７】
また、整線部８ｃに信号線を直接挿入するものとしたが、整線部８ｃに結束バンドを通し、結束バンドによって信号線を纏めるものであっても良い。
【符号の説明】
【００４８】
１００  火災受信機、１  火災受信機ユニット、２  筐体、３  扉、３ａ  窓部、３ｂ  回動部、３ｃ  閉鎖パネル、４  台座、５  中継器、６  追加電源部、７  サイレージ部、８，９  取付部、８ａ  取付面、８ｂ  フランジ部、８ｃ  整線部、１０  操作部。
【図１】
0006564220.tif 000002
【図２】
0006564220.tif 000003
【図３】
0006564220.tif 000004
【図４】
0006564220.tif 000005
【図５】
0006564220.tif 000006
【図６】
0006564220.tif 000007
【図７】
0006564220.tif 000008